(57)【要約】【課題】  外的衝撃により配線が断線しにくい構造の電気光学装置及びそれを用いた電子機器を提供すること。【解決手段】  第１基板１０と、第１基板１０から張出した張出し部２０ａを有する第２基板２０と、第１基板１０と第２基板２０との間に挟持された電気光学物質とを具備し、張出し部２０ａ内で接続された配線基板４０と、張出し部２０ａに設けられ、配線基板４０と電気的に接続された接続配線２２及び２５と、を具備し、張り出部２０ａは、張出し部２０ａの縁２０ｂと配線基板４０の縁４０ａとが交わる第１点５１と、張出し部２０ａの縁２０ｂと第１基板１０の縁とが重なる点の内、第１点５１から最も近い点である第２点５０とを結ぶ直線５２により分割された第１領域５３ａと第２領域５３ｂとを有し、第１領域５３ａには、接続配線２２及び２５が設けられ、第２領域５３ｂは第１領域５３ａよりも外側の領域であり、接続配線２２及び２５が設けられていない。【選択図】  図２
2006039081.tif 000002
【特許請求の範囲】
【請求項１】
第１基板と、前記第１基板と対向配置され、前記第１基板の縁から張り出した張り出し部を有する第２基板と、前記第１基板と前記第２基板との間に挟持された電気光学物質とを具備する電気光学装置であって、
前記張り出し部内で接続された配線基板と、
前記張り出し部に設けられ、前記配線基板と電気的に接続された配線と、
を具備し、
前記張り出し部は、前記張り出し部の縁と前記配線基板の縁とが交わる第１点と、前記張り出し部の縁と前記第１基板の縁とが重なる点の内、前記第１点から最も近い点である第２点とを結ぶ直線により分割された第１領域と第２領域とを有し、
前記第１領域には、前記配線が設けられており、
前記第２領域は前記第１領域よりも外側の領域であり、前記配線が設けられていないことを特徴とする電気光学装置。
【請求項２】
前記第１基板に設けられ、前記第２基板の縁から張り出した張り出し部と、当該張り出し部に接続された配線基板と、当該張り出し部に設けられ、前記配線基板と電気的に接続された配線とを更に備えていることを特徴とする請求項１に記載の電気光学装置。
【請求項３】
前記第２領域には、前記直線の近傍に溝が設けられていることを特徴とする請求項１または２に記載の電気光学装置。
【請求項４】
前記溝は、前記張り出し部の前記配線が設けられている側の面とは反対側の面に設けられていることを特徴とする請求項３に記載の電気光学装置。
【請求項５】
前記溝は、その両端部が前記張り出し部の縁まで延在していることを特徴とする請求項３または請求項４記載の電気光学装置。
【請求項６】
前記張り出し部の前記第１領域に実装された半導体素子を更に具備し、前記配線は前記半導体素子に接続されていることを特徴とする請求項１から請求項５のいずれか一項に記載の電気光学装置。
【請求項７】
前記配線基板に実装された半導体素子を更に具備し、前記配線は前記配線基板に接続されていることを特徴とする請求項１から請求項５のいずれか一項に記載の電気光学装置。
【請求項８】
前記配線は前記半導体素子から出力された信号が印加される配線であることを特徴とする請求項６または請求項７に記載の電気光学装置。
【請求項９】
第１基板と、前記第１基板と対向配置され、前記第１の縁から張り出した張り出し部を有する第２基板と、前記第１基板と前記第２基板との間に挟持された電気光学物質とを具備する電気光学装置であって、
前記張り出し部内で接続された配線基板と、
前記張り出し部に設けられ、前記配線基板と電気的に接続された配線と、
前記張り出し部の縁と前記配線基板の縁とが交わる第１点と、前記張り出し部の縁と前記第１基板の縁とが重なる点の内、前記第１点から最も近い点である第２点とを結ぶ直線と、
前記直線の近傍に設けられた溝とを備え、
前記溝を延長させた直線と、前記張り出し部の縁とで規定された２つの領域の内、前記溝よりも外側の領域には、前記配線が設けられていないことを特徴とする電気光学装置。
【請求項１０】
請求項１から請求項９のいずれか一項に記載の電気光学装置を有することを特徴とする電子機器。
【発明の詳細な説明】
【技術分野】
【０００１】
本発明は２枚の基板を有する電気光学装置及びそれを用いた電子機器に関する。
【背景技術】
【０００２】
電気光学装置、例えばパッシブマトリクス型の液晶装置は、一対の基板間に液晶を封入した液晶パネルと、液晶パネルの基板に接続するフレキシブル配線基板とを有している。一対の基板のうち、一方の基板は他方の基板から張り出した張り出し部を有しており、この張り出し部にフレキシブル配線基板が接続されている。一方の基板上にはセグメント電極、他方の基板にはコモン電極が設けられ、張り出し部には、セグメント電極及びコモン電極と、フレキシブル配線基板とが電気的に接続するように配線が設けられている。（例えば、特許文献１参照。）。
【特許文献１】特開平２００３−５７６３７号公報（段落［００２３］〜［００２８］、図１）
【発明の開示】
【発明が解決しようとする課題】
【０００３】
しかしながら、上述のような構成の液晶装置においては、液晶装置の落下などの外的衝撃により液晶パネルの張り出し部にひびや割れが生じ、そのひびや割れが生じた領域に配線が存在すると、配線が断線してしまう。このため、画像表示信号の入力が行えず、液晶装置の表示が行えなくなるなどの問題があった。
【０００４】
本発明は、上述の課題に鑑みてなされたもので、外的衝撃を受けても配線が断線しにくい構造の電気光学装置及びそれを用いた電子機器を提供することを目的とする。
【課題を解決するための手段】
【０００５】
上記目的を達成するために、本発明の電気光学装置は、第１基板と、前記第１基板と対向配置され、前記第１基板の縁から張り出した張り出し部を有する第２基板と、前記第１基板と前記第２基板との間に挟持された電気光学物質とを具備する電気光学装置であって、前記張り出し部内で接続された配線基板と、前記張り出し部に設けられ、前記配線基板と電気的に接続された配線と、を具備し、前記張り出し部は、前記張り出し部の縁と前記配線基板の縁とが交わる第１点と、前記張り出し部の縁と前記第１基板の縁とが重なる点の内、前記第１点から最も近い点である第２点とを結ぶ直線により分割された第１領域と第２領域とを有し、前記第１領域には、前記配線が設けられており、前記第２領域は前記第１領域よりも外側の領域であり、前記配線が設けられていないことを特徴とする。
【０００６】
本発明のこのような構成によれば、張り出し部に設けられる配線の断線の発生を極力抑制することができ、断線による表示不良の発生を極力防止することができる。電気光学装置全体を平面的に見た場合、２枚の第１基板と第２基板とが重なり合う領域と、張り出し部と配線基板とが重なり合う領域、すなわち２枚の基板が重なり合う領域とを結ぶ直線により、張出し部は第１領域と第２領域に区分けされる。電気光学装置において、２枚の第１基板と第２基板とが重なり合う領域及び第１領域では、その一部領域が２枚の基板が重なった状態であり、それ以外の領域は２つの２枚の基板が重なり合った領域により挟まれた状態となっている。これに対し、第２領域では１枚の第２基板のみしか存在せず、第２領域は２枚の基板が重なり合った領域と隣り合っていない状態となっている。従って、第１基板と第２基板とが重なり合う領域及び第１領域は、第２領域と比較して物理的強度が高い。このため、落下などの外的衝撃が電気光学装置に加わった場合、第１領域と第２領域との境界付近に大きいせん断応力が加わりやすく、第１領域と第２領域との境界付近に沿って、ひびや割れが発生しやすい。そこで、本発明では、張り出し部において配線基板が接続される第１領域のみに配線を設けることにより、例え外的衝撃によってひびや割れが生じても、そのひびや割れは第１領域と第２領域との境界付近に沿って発生しやすいため、配線の断線の発生を極力抑制することができる。従って、配線の断線による電気光学装置の表示不良発生を極力防止することができる。ここで、第１領域と第２領域との境界は、張り出し部の縁と配線基板の縁とが交わる第１点と、張り出し部の縁と第１基板の縁とが重なる点の内、第１点から最も近い点である第２点とを結ぶ直線に相当する。そして、第１領域は、この直線を境にして張り出し部の中央部よりの内側に位置し、第２領域は、直線を境にして張り出し部の縁側よりの外側に位置し、第２領域は第１領域よりも外側に位置する。
【０００７】
また、前記第１基板に設けられ、前記第２基板の縁から張り出した張り出し部と、当該張り出し部に接続された配線基板と、当該張り出し部に設けられ、前記配線基板と電気的に接続された配線とを更に備えていることを特徴とする。
【０００８】
このように、第１基板も第２基板から張り出した張り出し部を有する構造としても良い。
【０００９】
また、前記第２領域には、前記直線の近傍に溝が設けられていることを特徴とする。
【００１０】
このような構成によれば、電気光学装置が外的衝撃を受け、例えばひびや割れが生じたとしても、溝に沿って第２基板が割れるように導くことができ、配線が設けられている領域で基板が割れることを防止できるので、配線の断線の発生をより抑制することができる。
【００１１】
また、前記溝は、前記張り出し部の前記配線が設けられている側の面とは反対側の面に設けられていることを特徴とする。
【００１２】
このように、溝を張り出し部の配線が設けられている側の面とは反対側の面に設けることにより、ひびが生じるほどの外的衝撃を電気光学装置が受けても、ひびは配線が設けられている側の面と反対側の面に生じやすいので、例えひびが生じても配線が断線することがない。
【００１３】
また、前記溝は、その両端部が前記張り出し部の縁まで延在していることを特徴とする。
【００１４】
このように、溝を張り出し部の縁から縁まで設けてもよい。
【００１５】
また、前記張り出し部の前記第１領域に実装された半導体素子を更に具備し、前記配線は前記半導体素子に接続されていることを特徴とする。
【００１６】
このように基板上に半導体素子が実装されていてもよい。
【００１７】
前記配線基板に実装された半導体素子を更に具備し、前記配線は前記配線基板に接続されていることを特徴とする。
【００１８】
このように、配線基板上に半導体素子が実装されていても良い。
【００１９】
また、前記配線は前記半導体素子から出力された信号が印加される配線であることを特徴とする。
【００２０】
このような構成によれば、半導体素子から出力された信号が印加される配線が外的衝撃により断線することが極力抑制される。従って、このような配線の断線による電気光学装置の表示不良発生を極力防止することができる。例えば、張り出し部に半導体素子を設ける場合、半導体素子から表示領域中の電極に対して信号を供給する配線を引き回す必要があるとき、この配線を第１領域内に位置するように設けることにより、外的衝撃による配線の断線が極力抑制される。また、配線基板に設けられる配線を介して半導体素子から表示領域中の電極に対して信号を供給する配線を引き回す必要があるとき、この配線を第１領域内に位置するように設けることにより、外的衝撃による配線の断線が極力抑制される。
【００２１】
本発明の他の電気光学装置は、第１基板と、前記第１基板と対向配置され、前記第１の縁から張り出した張り出し部を有する第２基板と、前記第１基板と前記第２基板との間に挟持された電気光学物質とを具備する電気光学装置であって、前記張り出し部内で接続された配線基板と、前記張り出し部に設けられ、前記配線基板と電気的に接続された配線と、前記張り出し部の縁と前記配線基板の縁とが交わる第１点と、前記張り出し部の縁と前記第１基板の縁とが重なる点の内、前記第１点から最も近い点である第２点とを結ぶ直線と、前記直線の近傍に設けられた溝とを備え、前記溝を延長させた直線と、前記張り出し部の縁とで規定された２つの領域の内、前記溝よりも外側の領域には、前記配線が設けられていないことを特徴とする。
【００２２】
本発明のこのような構成によれば、電気光学装置が外的衝撃を受け、例えばひびや割れが生じたとしても、溝に沿って第２基板が割れるように導くことができる。更に、溝よりも外側、すなわち溝を境にして張り出し部の中央部よりも外側に配線が設けられていないので、例え電気光学装置にひびや割れが生じたとしても、溝を境にして張り出し部の中央部よりに位置する配線の断線の発生を抑制することができる。
【００２３】
本発明の他の電気光学装置は、第１の縁及び第２の縁と、該第１の縁と第２の縁とにより挟まれた角とを有する第１基板と、前記第１基板と対向配置され、少なくとも前記第１の縁及び第２の縁から張り出した張り出し部を有する第２基板と、前記張り出し部に接続された配線基板と、前記張り出し部に設けられた配線とを具備する電気光学装置であって、前記張り出し部は、前記張り出し部の縁と前記配線基板の縁とが交わる点と、前記角とを結ぶ直線及びその直線の延長線により分割された、前記配線基板が接続され前記配線が設けられている第１領域と、前記配線基板が接続されず前記配線が設けられていない第２領域とを有することを特徴とする。
【００２４】
本発明のこのような構成によれば、第２基板が第１基板の複数の縁から張り出した張り出し部を有する場合においても、張り出し部に設けられる配線の断線の発生を極力抑制することができ、断線による表示不良の発生を極力防止することができる。電気光学装置全体を平面的に見た場合、２枚の第１基板と第２基板とが重なり合う領域と、張り出し部と配線基板とが重なり合う領域、すなわち２枚の基板が重なり合う領域とを結ぶ直線及びその直線の延長線により、張出し部は第１領域と第２領域に区分けされる。電気光学装置において、２枚の第１基板と第２基板とが重なり合う領域及び第１領域では、その一部領域が２枚の基板が重なった状態であり、それ以外の領域は２枚の基板が重なり合った領域と隣接した状態となっている。これに対し、第２領域では１枚の第２基板のみしか存在せず、第２領域は２枚の基板が重なり合った領域と隣り合っていない状態となっている。従って、第１基板と第２基板とが重なり合う領域及び第１領域は、第２領域と比較して物理的強度が高い。このため、落下などの外的衝撃が電気光学装置に加わった場合、第１領域と第２領域との境界付近に大きいせん断応力が加わりやすく、第１領域と第２領域との境界付近に沿って、ひびや割れが発生しやすい。そこで、本発明では、張り出し部において配線基板が接続される第１領域のみに配線を設けることにより、例え外的衝撃によってひびや割れが生じても、そのひびや割れは第１領域と第２領域との境界付近に沿って発生しやすいため、配線の断線の発生を極力抑制することができる。従って、配線の断線による電気光学装置の表示不良発生を極力防止することができる。
【００２５】
本発明の電子機器は、上述に記載の電気光学装置を有することを特徴とする。
【００２６】
本発明のこのような構成によれば、落下などの外的衝撃による配線の断線などのおそれが少ない電気光学装置が組み込まれているため、良好な表示画面を得ることができる。
【発明を実施するための最良の形態】
【００２７】
以下、本発明の実施形態を図面に基づき説明する。なお、以下実施形態を説明するにあたっては、電気光学装置としてパッシブマトリクス型の液晶装置を例にあげるが、これに限られるものではない。また、以下の図面においては各構成をわかりやすくするために、実際の構造と各構造における縮尺や数等が異なっている。
【００２８】
（電気光学装置）
【００２９】
<第１実施形態>
【００３０】
図１は本発明の第１実施形態に係る電気光学装置としての液晶装置の概略斜視図である。図２は、図１の平面図である。本実施形態においては、ＣＯＧ（Ｃｈｉｐ  Ｏｎ  Ｇｌａｓｓ）方式の液晶装置を例にあげて説明する。
【００３１】
図１及び図２に示すように、液晶装置１は、電気光学パネルとしての液晶パネル２と、液晶パネル２を挟み込むように設けられた一対の偏光板（図示せず）と、液晶パネル２に電気的に接続された配線基板としてのフレキシブル配線基板４０と、液晶パネル２に実装された半導体素子としての駆動用ＩＣ３０を具備している。
【００３２】
液晶パネル２は、シール材６０により接着された一対のガラスなどの絶縁基板からなる第１基板１０及び第２基板２０を有している。一対の基板１０及び２０とシール材６０により囲まれた領域内には電気光学物質としてＳＴＮ（Ｓｕｐｅｒ  Ｔｗｉｓｔｅｄ  Ｎｅｍａｔｉｃ）液晶（図示せず）が封入されている。シール材６０は、液晶注入口となる部分が開口した形状を有し、液晶注入口は封止材６１によって封止されている。
【００３３】
第１基板１０は、第１の縁１０ａと、この第１の縁１０ａと隣り合う第２の縁１０ｂ及び１０ｃを有する矩形状を有している。第１基板１０上には、図面ｘ軸方向に沿ってストライプ状に形成された複数のコモン電極１１、このコモン電極１１を覆う配向膜（図示せず）が設けられている。
【００３４】
第２基板２０は、第１基板の第１の縁１０ａに対応する第１の縁２０ｂを有する矩形状を有している。第２基板２０の第１の縁２０ｂは、第１基板１０よりも張り出しており、第２基板２０は張り出し部２０ａを有している。張り出し部２０ａは、第１の縁２０ｂと、この第１の縁２０ｂと隣り合う第２の縁２０ｃ及び２０ｄを有する矩形状を有している。第１基板１０と第２基板２０とが平面的に重なり合う領域において、第２基板２０は、第１基板１０の第１の縁１０ａ以外の縁と重なり面一の形状となっている。第２基板２０上には、図面ｙ軸方向に沿って、ストライプ状にコモン電極１１と平面的に交差するように複数のセグメント電極２１、このセグメント電極２１を覆うように配向膜（図示せず）が設けられている。
【００３５】
第１基板１０と第２基板２０とはそれぞれの基板上に形成されている配向膜が対向するように対向配置される。
【００３６】
第２基板２０の張り出し部２０ａには、半導体素子としての駆動用ＩＣ３０が実装され、張り出し部２０ａ内ではフレキシブル配線基板４０が接続されている。張り出し部２０ａには、セグメント電極２１が延在してなる出力用配線としてのセグメント電極用接続配線２２、コモン電極１１と導電部材（図示せず）を介して電気的に接続された出力用配線としてのコモン電極用接続配線２５、駆動用ＩＣ３０とフレキシブル配線基板４０の配線４１とを電気的に接続する入力用配線２３が設けられている。セグメント電極用接続配線２２は、複数のセグメント電極２１のうち最も外側に位置する２つのセグメント電極２１をそのまま直線状に延在し、この延在した２つの線によって挟まれた領域内に位置する。これに対し、コモン電極用接続配線２５は、複数のコモン電極１１のうち最も外側に位置する２つのコモン電極１１をそのまま直線状に延在し、この延在した２つの線によって挟まれた領域内及び領域外に引き回されて位置している。
【００３７】
フレキシブル配線基板４０はベース基材と該ベース基材上に設けられた配線４１を有する。フレキシブル配線基板４０は縁４０ａを有し、この縁４０ａと第２基板２０の第１の縁２０ｂとが平面的に重なり合っている。液晶装置１においては、フレキシブル配線基板４０の配線４１から駆動用ＩＣ３０に対して入力用配線２３を介して信号が入力され、駆動用ＩＣ３０からセグメント電極２１及びコモン電極１１に対してセグメント電極用接続配線２２及びコモン電極用接続配線２５を介して信号が出力される。
【００３８】
図２に示すように、張り出し部２０ａは、平面的にみて張り出し部２０ａの第１の縁２０ｂとフレキシブル配線基板４０の縁４０ａとが交わる第１点５１と、張り出し部２０ａの第２の縁２０ｃ及び２０ｄと第１基板１０の第１の縁１０ａとが重なる第２点５０と、を結ぶ直線５２により分割される。第２点５０は、張り出し部２０ａの縁と第１基板１０の縁とが重なる点のうち、第１点５１から最も近い点である。張り出し部２０ａは、直線５２により分割された、フレキシブル配線基板４０が接続されコモン電極用接続配線２５及びセグメント電極用接続配線２２が設けられている第１領域５３ａと、フレキシブル配線基板４０が接続されずコモン電極用接続配線２５及びセグメント電極用接続配線２２が設けられていない第２領域５３ｂ（図２上、斜線で埋められた領域）とを有する。ここでは、第１領域５３ａは、直線５２を境にして張り出し部２０ａの中央部よりの内側に位置し、第２領域５３ｂは、直線５２を境にして張り出し部２０ａの縁側よりの外側に位置する。
【００３９】
このように本実施形態によれば、セグメント電極用接続配線２２及びコモン電極用接続配線２５は、第１領域５３ａ内に位置するので、特に直線５２に近く位置するコモン電極用接続配線２５は、液晶装置１が外的衝撃を受けても断線しにくく、断線によって表示が行えなくなるといった問題の発生を少なくすることができる。液晶装置１全体を平面的に見た場合、２枚の第１基板１０と第２基板２０とが重なり合う領域と、張り出し部２０ａとフレキシブル配線基板４０とが重なり合う領域、すなわち２枚の基板が重なり合う領域とを結ぶ直線５２により、張出し部２０ａは第１領域５３ａと第２領域５３ｂに区分けされる。液晶装置１において、２枚の第１基板１０と第２基板２０とが重なり合う領域及び第１領域５３ａでは、その一部領域が２枚の基板が重なった状態であり、それ以外の領域は２つの２枚の基板が重なり合った領域により挟まれた状態となっている。これに対し、第２領域５３ｂでは、フレキシブル配線基板は接続されず、１枚の第２基板２０のみしか存在せず、第２領域５３ｂは２枚の基板が重なり合った領域と隣り合っていない状態となっている。従って、第１基板１０と第２基板２０とが重なり合う領域及び第１領域５３ａは、第２領域５３ｂと比較して物理的強度が高い。このため、落下などの外的衝撃が液晶装置１に加わった場合、第１領域５３ａと第２領域５３ｂとの境界付近に大きいせん断応力が加わりやすく、第１領域５３ａと第２領域５３ｂとの境界である直線５２付近に沿って、ひびや割れが発生しやすい。そこで、本実施形態では、張り出し部２０ａにおいてフレキシブル配線基板４０が接続される第１領域５３ａのみにセグメント電極用接続配線２２及びコモン電極用接続配線２５を設けることにより、例え外的衝撃によってひびや割れが生じても、そのひびや割れは第１領域５３ａと第２領域５３ｂとの境界付近に発生しやすいため、セグメント電極用接続配線２２及びコモン電極用接続配線２５の断線の発生を極力抑制することができる。従って、断線による液晶装置１の表示不良発生を防止することができる。
【００４０】
<第２実施形態>
【００４１】
第１実施形態においては、半導体素子としての駆動用ＩＣが液晶パネルを構成する基板に実装されていたが、駆動用ＩＣが配線基板上に実装されたＣＯＦ（Ｃｈｉｐ  Ｏｎ  Ｆｉｌｍ）方式の液晶装置に本発明を適用することもできる。以下、図３及び図４を用いて説明する。
【００４２】
図３は第２実施形態に係る電気光学装置としての液晶装置の概略斜視図である。図４は、図３の平面図である。
【００４３】
図３及び図４に示すように、液晶装置１０１は、電気光学パネルとしての液晶パネル１０２と、液晶パネル１０２を挟み込むように設けられた一対の偏光板（図示せず）と、液晶パネル１０２に電気的に接続された配線基板としてのＴＡＢ−ＩＣ（Ｔａｐｅ  Ａｕｔｍａｔｅｄ  Ｂｏｎｄｉｎｇ−Ｉｎｔｅｇｒａｔｅｄ  Ｃｉｒｃｕｉｔｓ）１４０とを具備している。ＴＡＢ−ＩＣは、フィルム部材と、このフィルム部材上に設けられた半導体素子としての駆動用ＩＣ１３０及び配線１４１を有する。
【００４４】
液晶パネル１０２は、シール材６０により接着された一対のガラスなどの絶縁基板からなる第１基板１１０及び第２基板１２０を有している。一対の基板１１０及び１２０とシール材６０により囲まれた領域内には電気光学物質としてＳＴＮ液晶（図示せず）が封入されている。シール材６０は、液晶注入口となる部分が開口した形状を有し、液晶注入口は封止材６１によって封止されている。
【００４５】
第１基板１１０は、第１の縁１１０ａと、この第１の縁１１０ａと隣り合う第２の縁１１０ｂ及び１１０ｃとを有する矩形状を有している。第１基板１１０上には、図面ｘ軸方向に沿ってストライプ状に形成された複数のコモン電極１１１、このコモン電極１１１を覆う配向膜（図示せず）が設けられている。
【００４６】
第２基板１２０は、第１基板１１０の第１の縁１１０ａに対応する第１の縁１２０ｂを有する矩形状を有している。第２基板１２０の第１の縁１２０ｂは、第１基板１１０よりも張り出しており、第２基板１２０は張り出し部１２０ａを有している。張り出し部１２０ａは、第１の縁１２０ｂと、この第１の縁１２０ｂと隣り合う第２の縁１２０ｃ及び１２０ｄを有する矩形状を有している。第１基板１１０と第２基板１２０とが平面的に重なる領域において、第２基板１２０は、第１基板１１０の第１の縁１１０ａ以外の縁と重なり面一の形状となっている。第２基板１２０上には、図面ｙ軸方向に沿って、ストライプ状にコモン電極１１１と平面的に交差するように複数のセグメント電極１２１、このセグメント電極１２１を覆うように配向膜（図示せず）が設けられている。
【００４７】
第１基板１１０と第２基板１２０とはそれぞれの基板上に形成されている配向膜が対向するように対向配置される。
【００４８】
第２基板１２０の張り出し部１２０ａ内ではＴＡＢ−ＩＣ１４０が接続されている。第２基板１２０の張り出し部１２０ａには、セグメント電極１２１が延在してなる出力用配線としてのセグメント電極用接続配線１２２、コモン電極１１１と導電部材（図示せず）を介して電気的に接続された出力用配線としてのコモン電極用接続配線１２５が設けられ、これらセグメント電極用接続配線１２２及びコモン電極用接続配線１２５は、ＴＡＢ−ＩＣ１４０の配線１４１と電気的に接続する。セグメント電極用接続配線１２２は、複数のセグメント電極１２１のうち最も外側に位置する２つのセグメント電極１２１をそのまま直線状に延在し、この延在した２つの線によって挟まれた領域内に位置する。これに対し、コモン電極用接続配線１２５は、複数のコモン電極１１１のうち最も外側に位置する２つのコモン電極１１１をそのまま直線状に延在し、この延在した２つの線によって挟まれた領域内及び領域外に引き回されて位置している。
【００４９】
ＴＡＢ−ＩＣ１４０は縁１４０ａを有し、この縁１４０ａと第２基板１２０の第１の縁１２０ｂとが平面的に重なり合っている。液晶装置１０１においては、駆動用ＩＣ１３０から、ＴＡＢ−ＩＣ１４０の配線１４１、セグメント電極用接続配線１２２及びコモン電極用接続配線１２５を介して、セグメント電極１２１及びコモン電極１１１に対して、信号が出力される。
【００５０】
図４に示すように、張り出し部１２０ａは、平面的にみて、張り出し部１２０ａの第１の縁１２０ｂとフレキシブル配線基板１４０の縁１４０ａとが交わる第１点１５１と、張り出し部１２０ａの第２の縁１２０ｃ及び１２０ｄと第１基板１１０の第１の縁１１０ａとが重なる第２点１５０とを結ぶ直線１５２により分割される。第２点１５０は、張り出し部１２０ａの縁と第１基板１１０の縁とが重なる点のうち、第１点１５１から最も近い点である。張り出し部１２０ａは、直線１５２により分割された、ＴＡＢ―ＩＣ１４０が接続され、これに電気的に接続するセグメント電極用接続配線１２２及びコモン電極用接続配線１２５が設けられる第１領域１５３ａと、ＴＡＢ−ＩＣ１４０が接続されず、セグメント電極用接続配線１２２及びコモン電極用接続配線１２５が設けられていない第２領域１５３ｂ（図４上、斜線で埋められた領域）とを有する。ここでは、第１領域１５３ａは、直線１５２を境にして張り出し部１２０ａの中央部よりの内側に位置し、第２領域１５３ｂは、直線１５２を境にして張り出し部１２０ａの縁側よりの外側に位置する。
【００５１】
このように本実施形態によれば、セグメント電極用接続配線１２２及びコモン電極用接続配線１２５は、第１領域１５３ａ内に位置するので、特に直線１５２に近く位置するコモン電極用接続配線１２５は、液晶装置１０１が外的衝撃を受けても断線しにくく、断線によって表示が行えなくなるといった問題の発生を少なくすることができる。液晶装置１０１全体を平面的に見た場合、２枚の第１基板１１０と第２基板１２０とが重なり合う領域と、張り出し部１２０ａとＴＡＢ−ＩＣ１４０とが重なり合う領域、すなわち２枚の基板が重なり合う領域とを結ぶ直線１５２により、張出し部１２０ａは第１領域１５３ａと第２領域１５３ｂに区分けされる。液晶装置１０１において、２枚の第１基板１１０と第２基板１２０とが重なり合う領域及び第１領域１５３ａでは、その一部領域が２枚の基板が重なった状態であり、それ以外の領域は２つの２枚の基板が重なり合った領域により挟まれた状態となっている。これに対し、第２領域１５３ｂでは、ＴＡＢ−ＩＣは接続されず、１枚の第２基板１２０のみしか存在せず、第２領域１５３ｂは２枚の基板が重なり合った領域と隣り合っていない状態となっている。従って、第１基板１１０と第２基板１２０とが重なり合う領域及び第１領域１５３ａは、第２領域１５３ｂと比較して物理的強度が高い。このため、落下などの外的衝撃が液晶装置１０１に加わった場合、第１領域１５３ａと第２領域１５３ｂとの境界付近に大きいせん断応力が加わりやすく、第１領域１５３ａと第２領域１５３ｂとの境界付近に沿って、ひびや割れが発生しやすい。そこで、本実施形態では、張り出し部１２０ａにおいてＴＡＢ−ＩＣ１４０が接続される第１領域１５３ａのみにセグメント電極用接続配線１２２及びコモン電極用接続配線１２５を設けることにより、例え外的衝撃によってひびや割れが生じても、そのひびや割れは第１領域１５３ａと第２領域１５３ｂとの境界である直線１５２付近に発生しやすいため、セグメント電極用接続配線１２２及びコモン電極用接続配線１２５の断線の発生を極力抑制することができる。従って、セグメント電極用接続配線１２２及びコモン電極用接続配線１２５の断線による液晶装置１０１の表示不良発生を極力防止することができる。
【００５２】
<第３実施形態>
【００５３】
上述の第１実施形態においては、矩形状の液晶パネルの１辺にフレキシブル配線基板が接続された場合について説明したが、図５に示すように、矩形状の液晶パネルの２辺にフレキシブル配線基板が接続される構造についても本発明を適用することができ、以下に説明する。
【００５４】
図５は、第３実施形態に係る電気光学装置としての液晶装置の概略平面図である。本実施形態においては、ＣＯＧ方式の液晶装置を例にあげて説明するが、第２実施形態と同様にＣＯＦ方式に適用することも可能である。
【００５５】
図５に示すように、液晶装置２０１は、電気光学パネルとしての液晶パネル２０２と、液晶パネル２０２を挟み込むように設けられた一対の偏光板（図示せず）と、液晶パネル２０２に電気的に接続された配線基板としてのフレキシブル配線基板２４０及び２４０´と、液晶パネル２０２に実装された半導体素子としての駆動用ＩＣ２３０及び２３０´を具備している。
【００５６】
液晶パネル２０２は、シール材６０により接着された一対のガラスなどの絶縁基板からなる第１基板２１０及び第２基板２２０を有している。一対の基板２１０及び２２０とシール材６０により囲まれた領域内には電気光学物質としてＳＴＮ液晶（図示せず）が封入されている。シール材６０は、液晶注入口となる部分が開口した形状を有し、液晶注入口は封止材６１によって封止されている。
【００５７】
第１基板２１０は、対向する第１の縁２１０ａ及び第１の縁２１０ａ´と、この第１の縁２１０ａ及び２１０ａ´と隣り合う第２の縁２１０ｂ及び２１０ｃを有する矩形状を有している。第１基板２１０上には、図面ｘ軸方向に沿ってストライプ状に形成された複数のコモン電極２１１、このコモン電極２１１を覆う配向膜（図示せず）が設けられている。コモン電極２１１は、図面上、上半分がコモン電極用接続配線２２５を介して駆動用ＩＣ２３０´の左側に、下半分がコモン電極用接続配線２２５を介して駆動用ＩＣ２３０´の右側に接続している。
【００５８】
第２基板２２０は、第１基板の第１の縁２１０ａに対応する第１の縁２２０ｂ、第１基板の第１の縁２１０ａ´に対応する第１の縁２２０ｂ´、第１の縁２２０ｂ及び２２０ｂ´と隣り合う第２の縁２２０ｃ及び２２０ｄを有する矩形状を有している。第２の縁２２０ｃと第２の縁２２０ｄとは対向している。第２基板２２０の第１の縁２２０ｂ及び第１の縁２２０ｂ´は、第１基板２１０よりも張り出しており、第２基板２２０は張り出し部２２０ａ及び２２０ａ´を有している。第１基板２１０と第２基板２２０とが平面的に重なり合う領域において、第１基板２１０の第２の縁２１０ｂと第２基板２２０の第２の縁２２０ｃ、第１基板２１０の第２の縁２１０ｃと第２基板２２０の第２の縁２２０ｄとは、それぞれ重なり面一の形状となっている。第２基板２２０上には、図面ｙ軸方向に沿って、ストライプ状にコモン電極２１１と平面的に交差するように複数のセグメント電極２２１、このセグメント電極２２１を覆うように配向膜（図示せず）が設けられている。
【００５９】
第１基板２１０と第２基板２２０とはそれぞれの基板上に形成されている配向膜が対向するように対向配置される。
【００６０】
第２基板２２０の張り出し部２２０ａには半導体素子としての駆動用ＩＣ２３０が実装され、張り出し部２２０ａ内ではフレキシブル配線基板２４０が接続されている。張り出し部２２０ａには、セグメント電極２２１が延在してなる出力用配線としてのセグメント電極用接続配線２２２、駆動用ＩＣ２３０とフレキシブル配線基板２４０の配線２４１とを電気的に接続する入力用配線２２３が設けられている。第２基板２２０の張り出し部２２０ａ´には半導体素子としての駆動用ＩＣ２３０´が実装され、張り出し部２２０ａ´内ではフレキシブル配線基板２４０´が接続されている。張り出し部２２０ａ´には、コモン電極２１１と導電部材（図示せず）を介して電気的に接続された出力用配線としてのコモン電極用接続配線２２５、駆動用ＩＣ２３０´とフレキシブル配線基板２４０´の配線２４１´とを電気的に接続する入力用配線２２３´が設けられている。
セグメント電極用接続配線２２２は、複数のセグメント電極２２１のうち最も外側に位置する２つのセグメント電極２２１をそのまま直線状に延在し、この延在した２つの線によって挟まれた領域内に位置する。これに対し、コモン電極用接続配線２２５は、複数のコモン電極２１１のうち最も外側に位置する２つのコモン電極２１１をそのまま直線状に延在し、この延在した２つの線によって挟まれた領域内及び領域外に引き回されて位置している。
【００６１】
フレキシブル配線基板２４０（２４０´）は、それぞれベース基材と該ベース基材上に設けられた配線２４１（２４１´）を有する。フレキシブル配線基板２４０（２４０´）は縁２４０ａ（２４０ａ´）を有し、この縁２４０ａ（２４０ａ´）と第２基板２２０の第１の縁２２０ｂ（２２０ｂ´）とが平面的に重なり合っている。液晶装置２０１においては、フレキシブル配線基板２４０（２４０´）の配線２４１（２４１´）から駆動用ＩＣ２３０（２３０´）に対して入力用配線２２３（２２３´）を介して信号が入力され、駆動用ＩＣ２３０（２３０´）からセグメント電極２２１（コモン電極２１１）に対してセグメント電極用接続配線２２２（コモン電極用接続配線２２５）を介して信号が出力される。
【００６２】
図５に示すように、張り出し部２２０ａ（２２０ａ´）は、平面的にみて張り出し部２２０ａ（２２０ａ´）の第１の縁２２０ｂ（２２０ｂ´）とフレキシブル配線基板２４０（２４０´）の縁２４０ａ（２４０ａ´）とが交わる第１点２５１と、張り出し部２２０ａ（２２０ａ´）の第２の縁２２０ｃ及び２２０ｄと第１基板２１０の第１の縁２１０ａ（２１０ａ´）とが重なる第２点２５０と、を結ぶ直線２５２により分割される。第２点２５０は、張り出し部２２０ａ（２２０ａ´）の縁と第１基板２１０の縁とが重なる点のうち、第１点２５１から最も近い点である。張り出し部２２０ａ（２２０ａ´）は、直線２５２により分割された、フレキシブル配線基板２４０（２４０´）が接続されセグメント電極用接続配線２２２（コモン電極用接続配線２２５）が設けられている第１領域２５３ａと、フレキシブル配線基板２４０（２４０´）が接続されずセグメント電極用接続配線２２２（コモン電極用接続配線２２５）が設けられていない第２領域２５３ｂ（図５上、斜線で埋められた領域）とを有する。ここで、第１領域２５３ａは、直線２５２を境にして張り出し部２０２ａ及び２０２ａ´それぞれの中央部よりの内側に位置し、第２領域２５３ｂは、直線２５２を境にして張り出し部２０２ａ及び２０２ａ´それぞれの縁側よりの外側に位置する。従って、第２領域２５３ｂは第１領域２５３ａの外側に位置する。
【００６３】
このように本実施形態によれば、セグメント電極用接続配線２２２及びコモン電極用接続配線２２５は、第１領域２５３ａ内に位置するので、特に直線２５２に近く位置するコモン電極用接続配線２２５は、液晶装置２０１が外的衝撃を受けても断線しにくく、断線によって表示が行えなくなるといった問題の発生を少なくすることができる。液晶装置２０１全体を平面的に見た場合、２枚の第１基板２１０と第２基板２２０とが重なり合う領域と、張り出し部２２０ａ（２２０ａ´）とフレキシブル配線基板２４０（２４０´）とが重なり合う領域、すなわち２枚の基板が重なり合う領域とを結ぶ直線２５２により、張出し部２２０ａ（２２０ａ´）は第１領域２５３ａと第２領域２５３ｂに区分けされる。液晶装置２０１において、２枚の第１基板２１０と第２基板２２０とが重なり合う領域及び第１領域２５３ａでは、その一部領域が２枚の基板が重なった状態であり、それ以外の領域は２つの２枚の基板が重なり合った領域により挟まれた状態となっている。これに対し、第２領域２５３ｂでは、フレキシブル配線基板は接続されず、１枚の第２基板２２０のみしか存在せず、第２領域２５３ｂは２枚の基板が重なり合った領域と隣り合っていない状態となっている。従って、第１基板２１０と第２基板２２０とが重なり合う領域及び第１領域２５３ａは、第２領域２５３ｂと比較して物理的強度が高い。このため、落下などの外的衝撃が液晶装置２０１に加わった場合、第１領域２５３ａと第２領域２５３ｂとの境界付近に大きいせん断応力が加わりやすく、第１領域２５３ａと第２領域２５３ｂとの境界である直線２５２付近に沿って、ひびや割れが発生しやすい。そこで、本実施形態では、張り出し部２２０ａにおいてフレキシブル配線基板２４０が接続される第１領域２５３ａのみにセグメント電極用接続配線２２２及びコモン電極用接続配線２２５を設けることにより、例え外的衝撃によってひびや割れが生じても、そのひびや割れは第１領域２５３ａと第２領域２５３ｂとの境界付近に発生しやすいため、セグメント電極用接続配線２２２及びコモン電極用接続配線２２５の断線の発生を極力抑制することができる。従って、断線による液晶装置２０１の表示不良発生を防止することができる。
【００６４】
本実施形態において、液晶パネルの第２基板が２つの張り出し部を有していたが、これに限定されるものではない。例えば、第１基板が第２基板の縁から張り出した張り出し部を有し、第２基板が第１基板の縁から張り出した張り出し部を有し、それぞれの張り出し部が対向するように液晶パネルを構成してもよい。
【００６５】
また、本実施形態においては、矩形状の液晶パネルの対向する辺にそれぞれフレキシブル配線基板が接続された構造について説明したが、図６及び図７に示すように、変形例として、矩形状の液晶パネルの隣り合う辺にそれぞれフレキシブル配線基板を接続する構造としてもよい。
【００６６】
図６は、変形例の１つである電気光学装置としての液晶装置の概略平面図である。本変形例では、矩形状の第２基板の張り出し部が隣り合う２辺に設けられている。
【００６７】
図６に示すように、液晶装置１２０１は、電気光学パネルとしての液晶パネル１２０２と、液晶パネル１２０２を挟み込むように設けられた一対の偏光板（図示せず）と、液晶パネル１２０２に電気的に接続された配線基板としてのフレキシブル配線基板１２４０及び１２４０´と、液晶パネル１２０２に実装された半導体素子としての駆動用ＩＣ１２３０及び１２３０´を具備している。
【００６８】
液晶パネル１２０２は、シール材６０により接着された一対のガラスなどの絶縁基板からなる第１基板１２１０及び第２基板１２２０を有している。一対の基板１２１０及び１２２０とシール材６０により囲まれた領域内には電気光学物質としてＳＴＮ液晶（図示せず）が封入されている。シール材６０は、液晶注入口となる部分が開口した形状を有し、液晶注入口は封止材６１によって封止されている。
【００６９】
第１基板１２１０は、第１の縁１２１０ａと、この第１の縁１２１０ａと隣り合う第２の縁１２１０ｂと、第２の縁１２１０ｂと対向する第３の縁１２１０ｃと、第１の縁１２１０ａと対向する第４の縁１２１０ｄを有する矩形状を有している。第１基板１２１０上には、図面ｘ軸方向に沿ってストライプ状に形成された複数のコモン電極１２１１、このコモン電極１２１１を覆う配向膜（図示せず）が設けられている。
【００７０】
第２基板１２２０は、第１基板１２１０の第１の縁１２１０ａに対応する第１の縁１２２０ｂと、第１基板の第２の縁１２１０ｂに対応する第２の縁１２２０ｃ、第１基板の第３の縁１２１０ｃに対応する第３の縁１２２０ｄと、第１基板の第４の縁１２１０ｄに対応する第４の縁１２２０ｅを有する矩形状を有している。第２基板１２２０の第１の縁１２２０ｂ及び第２の縁１２２０ｃは、第１基板１２１０よりも張り出しており、第２基板１２２０はＬ字状の張り出し部１２２０ａを有している。第１基板１２１０と第２基板１２２０とが平面的に重なり合う領域において、第１基板１２１０の第３の縁１２１０ｃと第２基板１２２０の第３の縁１２２０ｄ、第１基板１２１０の第４の縁１２１０ｄと第２基板１２２０の第２の縁１２２０ｅとは、それぞれ重なり面一の形状となっている。第２基板１２２０上には、図面ｙ軸方向に沿って、ストライプ状にコモン電極１２１１と平面的に交差するように複数のセグメント電極１２２１、このセグメント電極１２２１を覆うように配向膜（図示せず）が設けられている。
【００７１】
第１基板１２１０と第２基板１２２０とはそれぞれの基板上に形成されている配向膜が対向するように対向配置される。
【００７２】
第２基板１２２０の張り出し部１２２０ａには半導体素子としての駆動用ＩＣ１２３０及び１２３０´が実装され、張り出し部１２２０ａ内ではフレキシブル配線基板１２４０及び１２４０´が接続されている。張り出し部１２２０ａには、セグメント電極１２２１が延在してなる出力用配線としてのセグメント電極用接続配線１２２２、コモン電極１２１１と導電部材（図示せず）を介して電気的に接続された出力用配線としてのコモン電極用接続配線１２２５、駆動用ＩＣ１２３０とフレキシブル配線基板１２４０の配線１２４１とを電気的に接続する入力用配線１２２３、駆動用ＩＣ１２３０´とフレキシブル配線基板１２４０´の配線１２４１´とを電気的に接続する入力用配線１２２３´が設けられている。
【００７３】
フレキシブル配線基板１２４０（１２４０´）は、それぞれベース基材と該ベース基材上に設けられた配線１２４１（１２４１´）を有する。フレキシブル配線基板１２４０（２４０´）は縁１２４０ａ（１２４０ａ´）を有し、この縁１２４０ａ（１２４０ａ´）と第２基板１２２０の第１の縁１２２０ｂ（第２の縁１２２０ｃ）とが平面的に重なり合っている。液晶装置１２０１においては、フレキシブル配線基板１２４０の配線１２４１から駆動用ＩＣ１２３０に対して入力用配線１２２３を介して信号が入力され、駆動用ＩＣ１２３０からセグメント電極１２２１に対してセグメント電極用接続配線１２２２を介して信号が出力される。一方、フレキシブル配線基板１２４０´の配線１２４１´から駆動用ＩＣ１２３０´に対して入力用配線１２２３´を介して信号が入力され、駆動用ＩＣ１２３０´からコモン電極１２１１に対してコモン電極用接続配線１２２５を介して信号が出力される。
【００７４】
図６に示すように、張り出し部１２２０ａは、３つの直線１２５２、１２５２´、１２６２により、第１領域１２５３ａと第２領域１２５３ｂに分割される。直線１２５２は、平面的にみて張り出し部１２２０ａの第１の縁１２２０ｂとフレキシブル配線基板１２４０の縁１２４０ａとが交わってなる２つの点のうち第３の縁１２２０ｄよりに位置する第１点１２５１と、張り出し部１２２０ａの第３の縁１２２０ｄと第１基板１２１０の第１の縁１２１０ａとが重なる第２点１２５０と、を結ぶ直線である。第２点１２５０は、張り出し部１２２０ａの縁と第１基板１２１０の縁とが重なる点のうち、第１点１２５１から最も近い点である。直線１２５２´は、平面的にみて張り出し部１２２０ａの第２の縁１２２０ｃとフレキシブル配線基板１２４０´の縁１２４０ａ´とが交わってなる２つの点のうち第４の縁１２２０ｅよりに位置する第１点１２５１´と、張り出し部１２２０ａの第４の縁１２２０ｅと第１基板１２１０の第２の縁１２１０ｂとが重なる第２点１２５０´と、を結ぶ直線である。第２点１２５０´は、張り出し部１２２０ａの縁と第１基板１２１０の縁とが重なる点のうち、第１点１２５１´から最も近い点である。直線１２６２は、平面的にみて、張り出し部１２２０ａの第１の縁１２２０ｂとフレキシブル配線基板１２４０の縁１２４０ａとが交わってなる２つの点のうち第２の縁１２２０ｃよりに位置する第３点１２６１と、張り出し部１２２０ａの第２の縁１２２０ｃとフレキシブル配線基板１２４０´の縁１２４０ａ´とが交わってなる２つの点のうち第１の縁１２２０ｂよりに位置する第４点１２６０と、を結ぶ直線である。
【００７５】
張り出し部１２２０ａは、直線１２５２、１２５２´及び１２６２により分割された、フレキシブル配線基板１２４０及び１２４０´が接続されコモン電極用接続配線１２２５及びセグメント電極用接続配線１２２２が設けられている第１領域１２５３ａと、フレキシブル配線基板１２４０及び１２４０´が接続されずコモン電極用接続配線１２２５及びセグメント電極用接続配線１２２２が設けられていない第２領域１２５３ｂ（図６上、斜線で埋められた領域）とを有する。ここでは、第１領域１２５３ａは、直線１２５２、１２５２´及び１２６２を境にしてＬ字状の張り出し部１２２０ａのＬ字を形成する２つの部分それぞれの中央部よりの内側に位置し、第２領域１２５３ｂは、直線１２５２、１２５２´及び１２６２を境にして張り出し部１２２０ａの縁側よりの外側に位置する。
【００７６】
このように本実施形態によれば、液晶装置１２０１において、２枚の第１基板１２１０と第２基板１２２０とが重なり合う領域及び第１領域１２５３ａでは、その一部領域が２枚の基板が重なった状態であり、それ以外の領域は２つの２枚の基板が重なり合った領域により挟まれた状態となっている。これに対し、第２領域１２５３ｂでは、フレキシブル配線基板は接続されず、１枚の第２基板１２２０のみしか存在せず、第２領域１２５３ｂは２枚の基板が重なり合った領域と隣り合っていない状態となっている。従って、第１基板１２１０と第２基板１２２０とが重なり合う領域及び第１領域１２５３ａは、第２領域１２５３ｂと比較して物理的強度が高い。このため、落下などの外的衝撃が液晶装置１２０１に加わった場合、第１領域１２５３ａと第２領域１２５３ｂとの境界付近に大きいせん断応力が加わりやすく、第１領域１２５３ａと第２領域１２５３ｂとの境界である直線１２５２、１２５２´、１２６２付近に沿って、ひびや割れが発生しやすい。そこで、本実施形態では、張り出し部１２２０ａにおいてフレキシブル配線基板１２４０及び１２４０´が接続される第１領域１２５３ａのみにセグメント電極用接続配線１２２２及びコモン電極用接続配線１２２５を設けることにより、例え外的衝撃によってひびや割れが生じても、そのひびや割れは第１領域１２５３ａと第２領域１２５３ｂとの境界付近に発生しやすいため、セグメント電極用接続配線１２２２及びコモン電極用接続配線１２２５の断線の発生を極力抑制することができる。従って、断線による液晶装置１２０１の表示不良発生を防止することができる。
【００７７】
図７は、他の変形例である液晶装置の概略平面図である。本変形例では、第１基板も第２基板の縁から張り出した張り出し部を有しており、この第１基板の張り出し部と第２基板の張り出し部が、対向せず隣り合った形状を有している。
【００７８】
図７に示すように、液晶装置２２０１は、電気光学パネルとしての液晶パネル２２０２と、液晶パネル２２０２を挟み込むように設けられた一対の偏光板（図示せず）と、液晶パネル２２０２に電気的に接続された配線基板としてのフレキシブル配線基板２２４０及び２２４０´と、液晶パネル２２０２に実装された半導体素子としての駆動用ＩＣ２２３０及び２２３０´を具備している。
【００７９】
液晶パネル２２０２は、シール材６０により接着された一対のガラスなどの絶縁基板からなる第１基板２２１０及び第２基板２２２０を有している。図７において、第２基板２２２０は図面手前側、第１基板２２１０は図面奥側に位置している。一対の基板２２１０及び２２２０とシール材６０により囲まれた領域内には電気光学物質としてＳＴＮ液晶（図示せず）が封入されている。シール材６０は、液晶注入口となる部分が開口した形状を有し、液晶注入口は封止材６１によって封止されている。
【００８０】
第１基板２２１０は、第１の縁２２１０ｂと、この第１の縁２２１０ｂと隣り合う第２の縁２２１０ｃと、第２の縁２２１０ｃと対向する第３の縁２２１０ｄと、第１の縁２２１０ｂと対向する第４の縁２２１０ｅを有する矩形状を有している。第１基板２２１０上には、図面ｘ軸方向に沿ってストライプ状に形成された複数のコモン電極２２１１、このコモン電極２２１１を覆う配向膜（図示せず）が設けられている。
【００８１】
第２基板２２２０は、第１基板の第３の縁２２１０ｄに対応する第１の縁２２２０ｂと、第１基板の第１の縁２２１０ｂに対応する第２の縁２２２０ｃと、第１基板の第４の縁２２１０ｅに対応する第３の縁２２２０ｄと、第１基板の第２の縁２２１０ｃに対応する第４の縁２２２０ｅと、第１基板２２１０の第３の縁２２１０ｄに対応する第１の縁２２２０ｂを有する矩形状を有している。第２基板２２２０の第１の縁２２２０ｂは第１基板２２１０よりも張り出しており、第２基板２２２０は張り出し部２２２０ａを有している。第１基板２２１０の第１の縁２２１０ｂは、第２基板２２２０よりも張り出しており、第１基板２２１０は張り出し部２２１０ａを有している。張り出し部２２１０ａ及び２２２０ａはそれぞれその長手方向がｙ軸、ｘ軸に沿っている。第１基板２２１０と第２基板２２２０とが平面的に重なり合う領域において、第１基板２２１０の第２の縁２２１０ｃと第２基板２２２０の第４の縁２２２０ｅ、第１基板２２１０の第４の縁２２１０ｅと第２基板２２２０の第３の縁２２２０ｄとは、それぞれ重なり面一の形状となっている。第２基板２２２０上には、図面ｙ軸方向に沿って、ストライプ状にコモン電極２２１１と平面的に交差するように複数のセグメント電極２２２１、このセグメント電極２２２１を覆うように配向膜（図示せず）が設けられている。
【００８２】
第１基板２２１０と第２基板２２２０とはそれぞれの基板上に形成されている配向膜が対向するように対向配置される。
【００８３】
第２基板２２２０の張り出し部２２２０ａには半導体素子としての駆動用ＩＣ２２３０が、第１基板２２１０の張り出し部２２１０ａには半導体素子としての駆動用ＩＣ２２３０´が実装されている。張り出し部２２２０ａには、セグメント電極２２２１が延在してなる出力用配線としてのセグメント電極用接続配線２２２２、駆動用ＩＣ２２３０とフレキシブル配線基板２２４０の配線２２４１とを電気的に接続する入力用配線２２２３が設けられている。張り出し部２２１０ａには、コモン電極２２１１と導電部材（図示せず）を介して電気的に接続された出力用配線としてのコモン電極用接続配線２２２５、駆動用ＩＣ２２３０´とフレキシブル配線基板２２４０´の配線２２４１´とを電気的に接続する入力用配線２２２３´が設けられている。
【００８４】
フレキシブル配線基板２２４０（２２４０´）は、それぞれベース基材と該ベース基材上に設けられた配線２２４１（２２４１´）を有する。フレキシブル配線基板２２４０（２２４０´）は縁２２４０ａ（２２４０ａ´）を有している。フレキシブル配線基板２２４０の縁２２４０ａは第２基板２２２０の第１の縁２２２０ｂと平面的に重なり合っており、フレキシブル配線基板２２４０´の縁２２４０ａ´は第１基板２２１０の第１の縁２２１０ｂと平面的に重なり合っている。液晶装置２２０１においては、フレキシブル配線基板２２４０の配線２２４１から駆動用ＩＣ２２３０に対して入力用配線２２２３を介して信号が入力され、駆動用ＩＣ２２３０からセグメント電極２２２１に対してセグメント電極用接続配線２２２２を介して信号が出力される。一方、フレキシブル配線基板２２４０´の配線２２４１´から駆動用ＩＣ２２３０´に対して入力用配線２２２３´を介して信号が入力され、駆動用ＩＣ２２３０´からコモン電極２２１１に対してコモン電極用接続配線２２２５を介して信号が出力される。
【００８５】
図７に示すように、張り出し部２２２０ａは、２つの直線２２５２、２２６２により第１領域２２５３ａと第２領域２２５３ｂ（図７上、斜線で埋められた領域）に分割される。直線２２５２は、平面的にみて、張り出し部２２２０ａの第１の縁２２２０ｂとフレキシブル配線基板２２４０の縁２２４０ａとが交わる２つの第１点２２５１のうち第３の縁２２２０ｄに近い第１点２２５１と、張り出し部２２２０ａの第３の縁２２２０ｄと第１基板２２１０の第３の縁２２１０ｄとが重なる第２点２２５０とを結ぶ直線である。第２点２２５０は、張り出し部２２２０ａの縁と第１基板２２１０の縁とが重なる点のうち、第１点２２５１から最も近い点である。直線２２６２は、平面的にみて、張り出し部２２２０ａの第１の縁２２２０ｂとフレキシブル配線基板２２４０の縁２２４０ａとが交わる２つの第１点２２５１のうち第２の縁２２２０ｃに近い第１点２２５１と、第１基板２２１０の第３の縁２２１０ｄと第２基板２２２０の第２の縁２２２０ｃとが交わる点２２６０とを結ぶ直線である。
【００８６】
一方、張り出し部２２１０ａは、２つの直線２２５２´、２２６２´により第１領域２２５３ａ´と第２領域２２５３ｂ´（図７上、斜線で埋められた領域）に分割される。直線２２５２´は、平面的にみて、張り出し部２２１０ａの第１の縁２２１０ｂとフレキシブル配線基板２２４０´の縁２２４０ａ´とが交わる２つの第１点２２５１のうち第３の縁２２１０ｄに近い第１点２２５１と、張り出し部２２１０ａの第２の縁２２１０ｃと第２基板２２２０の第４の縁２２２０ｅとが重なる第２点２２５０´とを結ぶ直線である。第２点２２５０´は、張り出し部２２１０ａの縁と第２基板２２２０の縁とが重なる点のうち、第１点２２５１´から最も近い点である。直線２２６２´は、平面的にみて、張り出し部２２１０ａの第１の縁２２１０ｂとフレキシブル配線基板２２４０´の縁２２４０ａ´とが交わる２つの第１点２２５１´のうち第３の縁２２１０ｄに近い第１点２２５１´と、第１基板２２１０の第３の縁２２１０ｄと第２基板２２２０の第２の縁２２２０ｃとが交わる点２２６０とを結ぶ直線である。
【００８７】
張り出し部２２２０ａは、直線２２５２及び２２６２により分割された、フレキシブル配線基板２２４０が接続されセグメント電極用接続配線２２２２が設けられている第１領域２２５３ａと、フレキシブル配線基板２２４０が接続されずセグメント電極用接続配線２２２２が設けられていない第２領域２２５３ｂ（図７上、斜線で埋められた領域）とを有する。ここでは、第１領域２２５３ａは、直線２２５２及び２２６２を境にして張り出し部２２２０ａの中央部よりの内側に位置し、第２領域２２５３ｂは、直線２２５２及び２２６２を境にして張り出し部２２２０ａの縁側よりの外側に位置する。
【００８８】
張り出し部２２１０ａは、直線２２５２´及び２２６２´により分割された、フレキシブル配線基板２２４０´が接続されコモン電極用接続配線２２２５が設けられている第１領域２２５３ａ´と、フレキシブル配線基板２２４０´が接続されずコモン電極用接続配線２２２５が設けられていない第２領域２２５３ｂ´（図７上、斜線で埋められた領域）とを有する。ここでは、第１領域２２５３ａ´は、直線２２５２´及び２２６２´を境にして張り出し部２２１０ａの中央部よりの内側に位置し、第２領域２２５３ｂ´は、直線２２５２´及び２２６２´を境にして張り出し部２２１０ａの縁側よりの外側に位置する。
【００８９】
このように本実施形態によれば、液晶装置２２０１において、２枚の第１基板２２１０と第２基板２２２０とが重なり合う領域、第１領域２２５３ａ及び２２５３ａ´では、その一部領域が２枚の基板が重なった状態であり、それ以外の領域は２つの２枚の基板が重なり合った領域により挟まれた状態となっている。これに対し、第２領域２２５３ｂ及び２２５３ｂ´では、フレキシブル配線基板は接続されず、１枚の基板（第１基板２２１０または第２基板２２２０）のみしか存在せず、第２領域２２５３ｂ及び２２５３ｂ´は２枚の基板が重なり合った領域と隣り合っていない状態となっている。従って、第１基板２２１０と第２基板２２２０とが重なり合う領域及び第１領域２２５３ａ及び２２５３ａ´は、第２領域２２５３ｂ及び２２５３ｂ´と比較して物理的強度が高い。このため、落下などの外的衝撃が液晶装置２２０１に加わった場合、第１領域２２５３ａ（２２５３ａ´）と第２領域２２５３ｂ（２２５３ｂ´）との境界付近に大きいせん断応力が加わりやすく、第１領域２２５３ａ（２２５３ａ´）と第２領域２２５３ｂ（２２５３ｂ´）との境界である直線２２５２（２２５２´）、２２６２（２２６２´）付近に沿って、ひびや割れが発生しやすい。そこで、本実施形態では、張り出し部２２２０ａ（２２１０ａ）においてフレキシブル配線基板２２４０（２２４０´）が接続される第１領域２２５３ａ（２２５３ａ´）のみにセグメント電極用接続配線２２２２（コモン電極用接続配線２２２５）を設けることにより、例え外的衝撃によってひびや割れが生じても、そのひびや割れは第１領域２２５３ａ（２２５３ａ´）と第２領域２２５３ｂ（２２５３ｂ´）との境界付近に発生しやすいため、セグメント電極用接続配線２２２２（コモン電極用接続配線２２２５）の断線の発生を極力抑制することができる。従って、断線による液晶装置２２０１の表示不良発生を防止することができる。
【００９０】
<第４実施形態>
【００９１】
上述の実施形態の構成に加え、図８に示すように、第２基板の第２領域に溝を設けても良い。ここでは、上述の第１実施形態に対応して説明し、電極や配線などの図示及び説明は第１実施形態と同様であるため、図示及び説明は省略する。また、同様に第２、第３実施形態においても、本実施形態の如く溝を設ける構成とすることができる。
【００９２】
図８（ａ）は第４実施形態に係る液晶装置の概略平面図である。図８（ｂ）は図８（ａ）の線Ａ−Ａ´で切断した断面図である。
【００９３】
図８に示す液晶装置３０１は、電気光学パネルとしての液晶パネル３０２と、液晶パネル３０２を挟み込むように設けられた一対の偏光板（図示せず）と、液晶パネル３０２に電気的に接続された配線基板としてのフレキシブル配線基板３４０と、液晶パネル３０２に実装された半導体素子としての駆動用ＩＣ３３０を具備している。
【００９４】
液晶パネル３０２は、シール材により接着された一対のガラスなどの絶縁基板からなる第１基板３１０及び第２基板３２０を有している。一対の基板３１０及び３２０とシール材により囲まれた領域内には電気光学材料としてＳＴＮ液晶（図示せず）が封入されている。
【００９５】
第１基板３１０は、第１の縁３１０ａと、この第１の縁３１０ａと隣り合う第２の縁３１０ｂ及び３１０ｃを有する矩形状を有している。
【００９６】
第２基板３２０は、第１基板の第１の縁３１０ａに対応する第１の縁３２０ｂを有する矩形状を有している。第２基板３２０の第１の縁３２０ｂは、第１基板３１０よりも張り出しており、第２基板３２０は張り出し部３２０ａを有している。張り出し部３２０ａは、第１の縁３２０ｂと、この第１の縁３２０ｂと隣り合う第２の縁３２０ｃ及び３２０ｄを有する矩形状を有している。第１基板３１０は、第１の縁３１０ａ以外の縁が、第２基板３２０の第１の縁３２０ｂ以外の縁と重なり面一の形状となっている。
【００９７】
第２基板３２０の張り出し部３２０ａには、半導体素子としての駆動用ＩＣ３３０が実装され、張り出し部３２０ａ内ではフレキシブル配線基板３４０が接続されている。張り出し部３２０ａには、セグメント電極が延在してなる出力用配線としてのセグメント電極用接続配線、コモン電極と導電部材を介して電気的に接続された出力用配線としてのコモン電極用接続配線、駆動用ＩＣ３３０とフレキシブル配線基板３４０の配線とを電気的に接続する入力用配線が設けられている。
【００９８】
フレキシブル配線基板３４０は縁３４０ａを有し、この縁３４０ａと第２基板３２０の第１の縁３２０ｂとが平面的に重なり合っている。
【００９９】
図８に示すように、張り出し部３２０ａは、張り出し部３２０ａの第１の縁３２０ｂとフレキシブル配線基板３４０の縁３４０ａとが交わる第１点３５１と、張り出し部３２０ａの第２の縁３２０ｃ及び３２０ｄと第１基板３１０の第１の縁３１０ａとが重なる第２点３５０とを結ぶ直線３５２により分割される。張り出し部３２０ａは、直線３５２により分割された、フレキシブル配線基板３４０が接続されセグメント電極用接続配線及びコモン電極用接続配線が設けられている第１領域３５３ａと、フレキシブル配線基板３４０が接続されずセグメント電極用接続配線及びコモン電極用接続配線が設けられていない第２領域３５３ｂとを有する。また、第２基板３２０の第２領域３５３ｂには、直線３５２の近傍に直線３５２とほぼ平行に溝３２１を設けている。
【０１００】
また、本実施形態においては、張り出し部３２０ａは、溝３２１と、張り出し部３２０ａの縁とで規定された２つの領域の内、溝３２１よりも外側の領域、すなわち溝３２１を境にして張り出し部３０２ａの中央部よりではなく第２基板３２０の縁よりの領域には、セグメント電極用接続配線及びコモン電極用接続配線が設けられていない。
【０１０１】
このように本実施形態によれば、上述の実施形態と同様に、接続配線は、液晶装置３０１が外的衝撃を受けても断線しにくく、断線によって表示が行えなくなるといった問題の発生を少なくすることができる。更に、本実施形態においては、第２基板３２０の第２領域３５３ｂに溝３２１を設けているので、例えば液晶装置３０１にひびや割れが生じるほどの外的衝撃が加わっても、ひびや割れをより確実に溝３２１に沿って発生させることができる、溝３２１よりも内側、すなわち溝３２１を境にして張り出し部３２０ａの中央部よりの領域に位置する接続配線の断線の発生をより防止することができる。溝３２１の位置は、液晶装置３０１に対して外的衝撃が加わった際、接続配線が設けられない第２領域のうちせん断応力が強く加わる領域に設ければよい。
【０１０２】
また、本実施形態においては、溝３２１を、その両端部が張り出し部３２０ａの縁まで延在した形状としたが、図９に示すように、両端部が張り出し部３２０ａ´の縁まで達しない形状としても良い。
【０１０３】
図９は、図８の溝の変形例を示すものである。図９は液晶装置の概略平面図である。以下、図８に示す液晶装置と同様の構造については同様の符号を付し、異なる構造について主に説明する。
【０１０４】
図９に示す液晶装置１３０１は、電気光学パネルとしての液晶パネル１３０２と、液晶パネル１３０２を挟み込むように設けられた一対の偏光板（図示せず）と、液晶パネル１３０２に電気的に接続された配線基板としてのフレキシブル配線基板３４０と、液晶パネル１３０２に実装された半導体素子としての駆動用ＩＣ３３０を具備している。
【０１０５】
液晶パネル１３０２は、シール材により接着された一対のガラスなどの絶縁基板からなる第１基板３１０及び第２基板１３２０を有している。
【０１０６】
第２基板１３２０は、第１基板３１０の第１の縁３１０ａに対応する第１の縁１３２０ｂを有する矩形状を有している。第２基板１３２０の第１の縁１３２０ｂは、第１基板３１０よりも張り出しており、第２基板１３２０は張り出し部１３２０ａを有している。張り出し部１３２０ａは、第１の縁１３２０ｂと、この第１の縁１３２０ｂと隣り合う第２の縁１３２０ｃ及び１３２０ｄを有する矩形状を有している。第１基板３１０の第１の縁３１０ａ以外の縁は、第２基板１３２０の第１の縁１３２０ｂ以外の縁と重なり面一の形状となっている。
【０１０７】
第２基板１３２０の張り出し部１３２０ａには、半導体素子としての駆動用ＩＣ３３０が実装されている。張り出し部１３２０ａには、セグメント電極が延在してなる出力用配線としてのセグメント電極用接続配線、コモン電極と導電部材を介して電気的に接続された出力用配線としてのコモン電極用接続配線、駆動用ＩＣ３３０とフレキシブル配線基板３４０の配線とを電気的に接続する入力用配線が設けられている。
【０１０８】
図９に示すように、張り出し部１３２０ａは、張り出し部１３２０ａの第１の縁１３２０ｂとフレキシブル配線基板３４０の縁３４０ａとが交わる第１点３５１と、張り出し部１３２０ａの第２の縁１３２０ｃ及び１３２０ｄと第１基板３１０の第１の縁３１０ａとが重なる第２点３５０とを結ぶ直線３５２により分割される。第２点３５０は、張り出し部１３２０ａの縁と第１基板３１０の縁とが重なる点のうち、第１点３５１から最も近い点である。張り出し部１３２０ａは、直線３５２により分割された、フレキシブル配線基板３４０が接続されセグメント電極用接続配線及びコモン電極用接続配線が設けられている第１領域３５３ａと、フレキシブル配線基板３４０が接続されずセグメント電極用接続配線及びコモン電極用接続配線が設けられていない第２領域３５３ｂとを有する。第２基板１３２０の第２領域３５３ｂには、直線３５２の近傍に直線３５２とほぼ平行に溝１３２１が設けられている。この溝１３２１は、張り出し部１３２０ａの縁から縁まで形成されておらず、両端部が張り出し部１３２０ａの縁まで達していない形状となっている。
【０１０９】
このように、溝の両端部が張り出し部の縁まで達していない形状の溝１３２１を有する液晶装置１３０１においても、図８に示す液晶装置３０１と同様に、例えば液晶装置１３０１にひびや割れが生じるほどの外的衝撃が加わっても、ひびや割れは溝１３２１に沿って発生しやすくなり、接続配線の断線を防止することができる。
【０１１０】
図１０は、他の変形例を示すものである。図１０は液晶装置の概略平面図である。以下、図８に示す液晶装置と同様の構造については同様の符号を付し、異なる構造について主に説明する。
【０１１１】
図１０に示す液晶装置２３０１は、電気光学パネルとしての液晶パネル２３０２と、液晶パネル２３０２を挟み込むように設けられた一対の偏光板（図示せず）と、液晶パネル２３０２に電気的に接続された配線基板としてのフレキシブル配線基板３４０と、液晶パネル１３０２に実装された半導体素子としての駆動用ＩＣ３３０を具備している。
【０１１２】
液晶パネル２３０２は、シール材により接着された一対のガラスなどの絶縁基板からなる第１基板３１０及び第２基板２３２０を有している。
【０１１３】
第２基板２３２０は、第１基板３１０の第１の縁３１０ａに対応する第１の縁２３２０ｂを有する矩形状を有している。第２基板２３２０の第１の縁２３２０ｂは、第１基板３１０よりも張り出しており、第２基板２３２０は張り出し部２３２０ａを有している。張り出し部２３２０ａは、第１の縁２３２０ｂと、この第１の縁２３２０ｂと隣り合う第２の縁２３２０ｃ及び２３２０ｄを有する矩形状を有している。第１基板３１０の第１の縁３１０ａ以外の縁は、第２基板２３２０の第１の縁２３２０ｂ以外の縁と重なり面一の形状となっている。
【０１１４】
第２基板２３２０の張り出し部２３２０ａには、半導体素子としての駆動用ＩＣ３３０が実装され、張り出し部２３２０ａ内ではフレキシブル配線基板３４０が接続されている。張り出し部２３２０ａには、セグメント電極が延在してなる出力用配線としてのセグメント電極用接続配線、コモン電極と導電部材を介して電気的に接続された出力用配線としてのコモン電極用接続配線、駆動用ＩＣ３３０とフレキシブル配線基板３４０の配線とを電気的に接続する入力用配線が設けられている。
【０１１５】
図１０に示すように、張り出し部２３２０ａは、張り出し部２３２０ａの第１の縁２３２０ｂとフレキシブル配線基板３４０の縁３４０ａとが交わる第１点３５１と、張り出し部２３２０ａの第２の縁２３２０ｃ及び２３２０ｄと第１基板３１０の第１の縁３１０ａとが重なる第２点３５０とを結ぶ直線３５２により分割される。第２点３５０は、張り出し部２３２０ａの縁と第２基板２３２０の縁とが重なる点のうち、第１点３５１から最も近い点である。張り出し部２３２０ａは、直線３５２により分割された、フレキシブル配線基板３４０が接続されセグメント電極用接続配線及びコモン電極用接続配線が設けられている第１領域３５３ａと、フレキシブル配線基板３４０が接続されずセグメント電極用接続配線及びコモン電極用接続配線が設けられていない第２領域３５３ｂとを有する。第２基板２３２０の第２領域３５３ｂには、第２点３５０から第１の縁２３２０ｂに向かって延びる溝２３２１が設けられている。この溝２３２１は、直線３５２と平行に設けられておらず、例えば図１０に示すように、第２点３５０から、第１点３５１よりも第２の縁２３２０ｃ（２３２０ｄ）よりの縁２３２０ｂ上にまで設けられている。
【０１１６】
また、本実施形態においては、張り出し部２３２０ａは、溝２３２１と、張り出し部２３２０ａの縁とで規定された２つの領域の内、溝２３２１よりも外側の領域、すなわち溝２３２１を境にして張り出し部２３２０ａの中央部よりではなく張り出し部２３２０ａの縁よりの領域には、セグメント電極用接続配線及びコモン電極用接続配線が設けられていない。
【０１１７】
このように、溝２３２１を直線３５２と非平行の状態で設けても良く、図８に示す液晶装置３０１と同様に、例えば液晶装置２３０１にひびや割れが生じるほどの外的衝撃が加わっても、ひびや割れは溝２３２１に沿って発生しやすくなり、接続配線の断線を防止することができる。
【０１１８】
図１１は、更に他の変形例を示すものである。図１１は液晶装置の概略平面図である。以下、図８に示す液晶装置と同様の構造については同様の符号を付し、異なる構造について主に説明する。
【０１１９】
図１１に示す液晶装置３３０１は、電気光学パネルとしての液晶パネル３３０２と、液晶パネル３３０２を挟み込むように設けられた一対の偏光板（図示せず）と、液晶パネル３３０２に電気的に接続された配線基板としてのフレキシブル配線基板３４０と、液晶パネル３３０２に実装された半導体素子としての駆動用ＩＣ３３０を具備している。
【０１２０】
液晶パネル３３０２は、シール材により接着された一対のガラスなどの絶縁基板からなる第１基板３１０及び第２基板３３２０を有している。
【０１２１】
第２基板３３２０は、第１基板３１０の第１の縁３１０ａに対応する第１の縁３３２０ｂを有する矩形状を有している。第２基板３３２０の第１の縁３３２０ｂは、第１基板３１０よりも張り出しており、第２基板３３２０は張り出し部３３２０ａを有している。張り出し部３３２０ａは、第１の縁３３２０ｂと、この第１の縁３３２０ｂと隣り合う第２の縁３３２０ｃ及び３３２０ｄを有する矩形状を有している。第１基板３３１０の第１の縁３１０ａ以外の縁は、第２基板３３２０の縁３３２０ｂ重なり面一の形状となっている。
【０１２２】
第２基板３３２０の張り出し部３３２０ａには、半導体素子としての駆動用ＩＣ３３０が実装され、張り出し部３３２０ａ内ではフレキシブル配線基板３４０が接続されている。張り出し部３３２０ａには、セグメント電極が延在してなる出力用配線としてのセグメント電極用接続配線、コモン電極と導電部材を介して電気的に接続された出力用配線としてのコモン電極用接続配線、駆動用ＩＣ３３０とフレキシブル配線基板３４０の配線とを電気的に接続する入力用配線が設けられている。
【０１２３】
図１１に示すように、張り出し部３３２０ａは、張り出し部３３２０ａの第１の縁３３２０ｂとフレキシブル配線基板３４０の縁３４０ａとが交わる第１点３５１と、張り出し部３３２０ａの第２の縁３３２０ｃ及び３３２０ｄと第１基板３１０の第１の縁３１０ａとが重なる第２点３５０とを結ぶ直線３５２により分割される。第２点３５０は、張り出し部３３２０ａの縁と第１基板３１０の縁とが重なる点のうち、第１点３５１から最も近い点である。張り出し部３３２０ａは、直線３５２により分割された、フレキシブル配線基板３４０が接続されセグメント電極用接続配線及びコモン電極用接続配線が設けられている第１領域３５３ａと、フレキシブル配線基板３４０が接続されずセグメント電極用接続配線及びコモン電極用接続配線が設けられていない第２領域３５３ｂとを有する。第２基板３３２０の第２領域３５３ｂには、第１の縁３３２０ｂと平行に溝３３２１が設けられている。
【０１２４】
このように、溝３３２１を直線３５２と非平行の状態で、第２基板３３２０の縁に平行に設けても良く、図８に示す液晶装置３０１と同様に、例えば液晶装置３３０１にひびや割れが生じるほどの外的衝撃が加わっても、ひびや割れは溝３３２１に沿って発生しやすくなり、接続配線の断線を防止することができる。
【０１２５】
尚、溝の断面形状として半円形状のものを例にあげて説明した（図８（ｂ）参照）が、これに限定されるものでなく、例えば図１２に示すように第２基板３２０にＶ字状の断面を有する溝４３２１を設けても良い。
【０１２６】
また、上述では、第２基板３２０のセグメント電極用接続配線やコモン電極用接続配線といった配線が配置される面側に溝を設けているが、図１３に示すように、第２基板３２０の配線が配置される面３６０とは反対側の面３６１に溝５３２１を設けても良い。この場合、例えばひびが生じるほどの外的衝撃を液晶装置が受けた場合、ひびは面３６１側から入りやすくなり、より配線の断線を防止することができる。
【０１２７】
尚、図１２及び図１３は、図８（ｂ）に相当する断面図である。
【０１２８】
尚、第１点と第２とを結ぶ直線、または第１点と第２点とを結ぶ直線及びこの直線の延長線によって、第１領域と第２領域とを分割することが望ましいが、本実施形態及びこの変形例のように、溝を設ける場合には、その溝に沿ってひびや割れが生じやすいので、当該溝やその延長線によって第１領域と第２領域とを分割してもよい。そして、溝または、溝及びこの溝の延長線を境にして、外側の領域、すなわち張り出し部の中央部よりではない縁よりの領域に配線を設けない構造とすればよい。
【０１２９】
<他の変形例>
【０１３０】
上述の実施形態においては、駆動用ＩＣを１つまたは２つ設けた場合を例にあげたが、これに限定されるものでなく、例えば図１４に示すように、駆動用ＩＣを３つ設けた場合についても本発明を適用できる。
【０１３１】
図１４は変形例としての液晶装置の概略平面図である。
【０１３２】
図１４に示すように、液晶装置４０１は、電気光学パネルとしての液晶パネル４０２と、液晶パネル４０２を挟み込むように設けられた一対の偏光板（図示せず）と、液晶パネル４０２に電気的に接続された配線基板としてのフレキシブル配線基板４４０と、液晶パネル４０２に実装された半導体素子としての駆動用ＩＣ４３０ａ、４３０ｂ、４３０ｃを具備している。
【０１３３】
液晶パネル４０２は、シール材６０により接着された一対のガラスなどの絶縁基板からなる第１基板４１０及び第２基板４２０を有している。一対の基板４１０及び４２０とシール材６０により囲まれた領域内には電気光学物質としてＳＴＮ液晶（図示せず）が封入されている。シール材６０は、液晶注入口となる部分が開口した形状を有し、液晶注入口は封止材６１によって封止されている。
【０１３４】
第１基板４１０は、第１の縁４１０ａと、この第１の縁４１０ａと隣り合う第２の縁４１０ｂ及び４１０ｃを有する矩形状を有している。第１基板４１０上には、図面ｘ軸方向に沿ってストライプ状に形成された複数のコモン電極４１１、このコモン電極４１１を覆う配向膜（図示せず）が設けられている。
【０１３５】
第２基板４２０は、第１基板の第１の縁４１０ａに対応する第１の縁４２０ｂを有する矩形状を有している。第２基板４２０の第１の縁４２０ｂは、第１基板４１０よりも張り出しており、第２基板４２０は張り出し部４２０ａを有している。張り出し部４２０ａは、第１の縁４２０ｂと、この第１の縁４２０ｂと隣り合う第２の縁４２０ｃ及び４２０ｄを有する矩形状を有している。第１基板４１０と第２基板４２０とが平面的に重なり合う領域において、第２基板４２０の第１の縁２０ｂ以外の縁は、第１基板４１０の縁と重なり面一の形状となっている。第２基板４２０上には、図面ｙ軸方向に沿って、ストライプ状にコモン電極４１１と平面的に交差するように複数のセグメント電極４２１、このセグメント電極４２１を覆うように配向膜（図示せず）が設けられている。
【０１３６】
第１基板４１０と第２基板４２０とはそれぞれの基板上に形成されている配向膜が対向するように対向配置される。
【０１３７】
第２基板４２０の張り出し部４２０ａには、半導体素子としての駆動用ＩＣ４３０ａ、４３０ｂ、４３０ｃが実装され、張り出し部４２０ａにはフレキシブル配線基板４４０が接続されている。張り出し部４２０ａには、セグメント電極４２１が延在してなる出力用配線としてのセグメント電極用接続配線４２２、コモン電極４１１と導電部材（図示せず）を介して電気的に接続された出力用配線としてのコモン電極用接続配線４２５、駆動用ＩＣ４３０ａ〜４３０ｃとフレキシブル配線基板４４０の配線４４１とを電気的に接続する入力用配線４２３が設けられている。セグメント電極用接続配線４２２は、複数のセグメント電極４２１のうち最も外側に位置する２つのセグメント電極４２１をそのまま直線状に延在し、この延在した２つの線によって挟まれた領域内に位置する。これに対し、コモン電極用接続配線４２５は、複数のコモン電極４１１のうち最も外側に位置する２つのコモン電極４１１をそのまま直線状に延在し、この延在した２つの線によって挟まれた領域内及び領域外に引き回されて位置している。
【０１３８】
フレキシブル配線基板４４０はベース基材と該ベース基材上に設けられた配線４４１を有する。フレキシブル配線基板４４０は縁４４０ａを有し、この縁４４０ａと第２基板４２０の第１の縁４２０ｂとが平面的に重なり合っている。液晶装置４０１においては、フレキシブル配線基板４４０の配線４４１から駆動用ＩＣ４３０ａ〜４３０ｃに対して入力用配線２３を介して信号が入力される。駆動用ＩＣ４３０ａからコモン電極用接続配線４２５を介して一部のコモン電極４１１に対して、駆動用ＩＣ４３０ｃからコモン電極用接続配線４２５を介して残りのコモン電極４１１に対して、駆動用ＩＣ４３０ｂからセグメント電極用接続配線４２３を介してセグメント電極４２１に対して、信号が出力される。
【０１３９】
図１４に示すように、張り出し部４２０ａは、平面的にみて張り出し部４２０ａの第１の縁４２０ｂとフレキシブル配線基板４４０の縁４４０ａとが交わる第１点４５１と、張り出し部４２０ａの第２の縁４２０ｃ及び４２０ｄと第１基板４１０の第１の縁４１０ａとが重なる第２点４５０と、を結ぶ直線４５２により分割される。第２点４５０は、張り出し部４２０ａの縁と第１基板４１０の縁とが重なる点のうち、第１点４５１から最も近い点である。張り出し部４２０ａは、直線４５２により分割された、フレキシブル配線基板４４０が接続されコモン電極用接続配線４２５及びセグメント電極用接続配線４２２が設けられている第１領域４５３ａと、フレキシブル配線基板４４０が接続されずコモン電極用接続配線４２５及びセグメント電極用接続配線４２２が設けられていない第２領域４５３ｂ（図１４上、斜線で埋められた領域）とを有する。ここでは、第１領域４５３ａは、直線４５２を境にして張り出し部４２０ａの中央部よりの内側に位置し、第２領域４５３ｂは、直線４５２を境にして張り出し部４２０ａの縁側よりの外側に位置する。
【０１４０】
このように本実施形態によれば、セグメント電極用接続配線４２２及びコモン電極用接続配線４２５は、第１領域４５３ａ内に位置するので、特に直線４５２に近く位置するコモン電極用接続配線４２５は、液晶装置４０１が外的衝撃を受けても断線しにくく、断線によって表示が行えなくなるといった問題の発生を少なくすることができる。液晶装置４０１全体を平面的に見た場合、２枚の第１基板４１０と第２基板４２０とが重なり合う領域と、張り出し部４２０ａとフレキシブル配線基板４４０とが重なり合う領域、すなわち２枚の基板が重なり合う領域とを結ぶ直線４５２により、張出し部４２０ａは第１領域４５３ａと第２領域４５３ｂに区分けされる。液晶装置４０１において、２枚の第１基板４１０と第２基板４２０とが重なり合う領域及び第１領域４５３ａでは、その一部領域が２枚の基板が重なった状態であり、それ以外の領域は２つの２枚の基板が重なり合った領域により挟まれた状態となっている。これに対し、第２領域４５３ｂでは、フレキシブル配線基板は接続されず、１枚の第２基板４２０のみしか存在せず、第２領域４５３ｂは２枚の基板が重なり合った領域と隣り合っていない状態となっている。従って、第１基板４１０と第２基板４２０とが重なり合う領域及び第１領域４５３ａは、第２領域４５３ｂと比較して物理的強度が高い。このため、落下などの外的衝撃が液晶装置４０１に加わった場合、第１領域４５３ａと第２領域４５３ｂとの境界付近に大きいせん断応力が加わりやすく、第１領域４５３ａと第２領域４５３ｂとの境界である直線４５２付近に沿って、ひびや割れが発生しやすい。そこで、本実施形態では、張り出し部４２０ａにおいてフレキシブル配線基板４４０が接続される第１領域４５３ａのみにセグメント電極用接続配線４２２及びコモン電極用接続配線４２５を設けることにより、例え外的衝撃によってひびや割れが生じても、そのひびや割れは第１領域４５３ａと第２領域４５３ｂとの境界付近に発生しやすいため、セグメント電極用接続配線４２２及びコモン電極用接続配線４２５の断線の発生を極力抑制することができる。従って、断線による液晶装置４０１の表示不良発生を防止することができる。
【０１４１】
また、上述の実施形態においては、第２基板の配線基板が接続される縁以外の縁は、第１基板の縁と面一の状態で完全に重なっていた。しかし、図１５に示す変形例のように、第１基板の縁と第２基板の縁とが重ならず、ずれている場合、すなわち第１基板の縁のうち配線基板に対応する縁以外の縁の少なくとも一部が、第２基板上に位置するように配置される場合にも本発明を適用できる。このような構造においても、第１基板の角部が第２基板の縁の近傍に配置されているので、上述の各実施形態と同様に配線の断線の問題が生じる。そのため、本変形例においては、張り出し部上における、張り出し部の縁と配線基板の縁とが交わる点の内、第１基板の角から最も近い点である点と、当該角とを結ぶ直線及びその直線を第２基板の縁にまで延長させた延長線により分割された第１領域と第２領域とを設け、第１領域には配線が設けられており、第２領域には配線が設けられていない構成としている。
【０１４２】
本構成により、配線の断線を防止することが可能である。以下に、図１５を用いて説明する。
【０１４３】
図１５は変形例に係る液晶装置の概略平面図である。本実施形態においては、ＣＯＧ方式の液晶装置を例にあげて説明する。
【０１４４】
図１５に示すように、液晶装置５０１は、電気光学パネルとしての液晶パネル５０２と、液晶パネル５０２を挟み込むように設けられた一対の偏光板（図示せず）と、液晶パネル５０２に電気的に接続された配線基板としてのフレキシブル配線基板５４０と、液晶パネル５０２に実装された半導体素子としての駆動用ＩＣ５３０を具備している。
【０１４５】
液晶パネル５０２は、シール材６０により接着された一対のガラスなどの絶縁基板からなる第１基板５１０及び第２基板５２０を有している。一対の基板５１０及び５２０とシール材６０により囲まれた領域内には電気光学物質としてＳＴＮ液晶（図示せず）が封入されている。シール材６０は、液晶注入口となる部分が開口した形状を有し、液晶注入口は封止材６１によって封止されている。
【０１４６】
第１基板５１０は、第１の縁５１０ａと、この第１の縁５１０ａと隣り合う第２の縁５１０ｂ及び５１０ｃと、第１の縁５１０ａと第２の縁５１０ｂ（または５１０ｃ）とにより挟まれた角５５０を有する矩形状を有している。第１基板５１０上には、図面ｘ軸方向に沿ってストライプ状に形成された複数のコモン電極５１１、このコモン電極５１１を覆う配向膜（図示せず）が設けられている。
【０１４７】
第２基板５２０は、第１基板の第１の縁５１０ａに対応する第１の縁５２０ｂを有する矩形状を有している。第２基板５２０は、第１の縁５２０ｂと、この第１の縁５２０ｂと隣り合う第２の縁５２０ｃ及び５２０ｄを有している。第２基板５２０の第１の縁５２０ｂ、第２の縁５２０ｃ及び５２０ｄは、第１基板５１０よりも張り出しており、第２基板５２０は張り出し部５２０ａを有している。張り出し部５２０ａはＵ字状を有している。フレキシブル配線基板５４０は、張り出し部５２０ａのうち第１基板５１０の第１の縁５１０ａ側の領域に設けられている。第２基板５２０上には、図面ｙ軸方向に沿って、ストライプ状にコモン電極５１１と平面的に交差するように複数のセグメント電極５２１、このセグメント電極５２１を覆うように配向膜（図示せず）が設けられている。
【０１４８】
第１基板５１０と第２基板５２０とはそれぞれの基板上に形成されている配向膜が対向するように対向配置される。
【０１４９】
第２基板５２０の張り出し部５２０ａのうち第１の縁５２０ｂ側の領域には、半導体素子としての駆動用ＩＣ５３０が実装され、張り出し部５２０ａ内ではフレキシブル配線基板５４０が接続されている。張り出し部５２０ａのうち第１の縁５２０ｂ側の領域５２０ａには、セグメント電極５２１が延在してなる出力用配線としてのセグメント電極用接続配線５２２、コモン電極５１１と導電部材（図示せず）を介して電気的に接続された出力用配線としてのコモン電極用接続配線５２５、駆動用ＩＣ５３０とフレキシブル配線基板５４０の配線とを電気的に接続する入力用配線５２３が設けられている。セグメント電極用接続配線５２２は、複数のセグメント電極５２１のうち最も外側に位置する２つのセグメント電極５２１をそのまま直線状に延在し、この延在した２つの線によって挟まれた領域内に位置する。これに対し、コモン電極用接続配線５２５は、複数のコモン電極５１１のうち最も外側に位置する２つのコモン電極５１１をそのまま直線状に延在し、この延在した２つの線によって挟まれた領域内及び領域外に引き回されて位置している。
【０１５０】
フレキシブル配線基板５４０はベース基材と該ベース基材上に設けられた配線を有する。フレキシブル配線基板５４０は縁５４０ａを有し、この縁５４０ａと第２基板５２０の第１の縁５２０ｂとが平面的に重なり合っている。
【０１５１】
図１５に示すように、張り出し部５２０ａは、張り出し部５２０ａの第１の縁５２０ｂとフレキシブル配線基板５４０の縁５４０ａとが交わる点５５１と、第１基板５１０の角５５０とを結ぶ直線及びその直線の延長線５５２により分割される。張り出し部５２０ａは、直線及びその直線の延長線５５２により、フレキシブル配線基板５４０が接続されセグメント電極用接続配線５２２及びコモン電極用接続配線５２５が設けられている第１領域５５３ａと、フレキシブル配線基板５４０が接続されずセグメント電極用接続配線５２２及びコモン電極用接続配線５２５が設けられていない第２領域５５３ｂ（図１５上、斜線で埋められた領域）とを有する。
【０１５２】
このように本変形例によれば、セグメント電極用接続配線５２２及びコモン電極用接続配線５２５は、第１領域５５３ａ内に位置するので、特に直線及びせおの直線の延長線５５２に近く位置するコモン電極用接続配線５２５は、液晶装置５０１が外的衝撃を受けても断線しにくく、断線によって表示が行えなくなるといった問題の発生を少なくすることができる。液晶装置５０１全体を平面的に見た場合、２枚の第１基板５１０と第２基板５２０とが重なり合う領域と、張り出し部５２０ａとフレキシブル配線基板５４０とが重なり合う領域、すなわち２枚の基板が重なり合う領域とを結ぶ直線及びその直線の延長線５５２により、張出し部５２０ａは第１領域５５３ａと第２領域５５３ｂに区分けされる。液晶装置５０１において、２枚の第１基板５１０と第２基板５２０とが重なり合う領域及び第１領域５５３ａでは、その一部領域が２枚の基板が重なった状態であり、それ以外の領域は２枚の基板が重なり合った領域と隣接した状態となっている。これに対し、第２領域５５３ｂでは、フレキシブル配線基板は接続されず、１枚の第２基板５２０のみしか存在せず、第２領域５５３ｂは２枚の基板が重なり合った領域と隣り合っていない状態となっている。従って、第１基板５１０と第２基板５２０とが重なり合う領域及び第１領域５５３ａは、第２領域５５３ｂと比較して物理的強度が高い。このため、落下などの外的衝撃が液晶装置５０１に加わった場合、第１領域５５３ａと第２領域５５３ｂとの境界付近に大きいせん断応力が加わりやすく、第１領域５５３ａと第２領域５５３ｂとの境界である直線及びその直線の延長線５５２付近に、ひびや割れが発生しやすい。そこで、本変形例では、張り出し部５２０ａにおいてフレキシブル配線基板５４０が接続される第１領域５５３ａのみにセグメント電極用接続配線５２２及びコモン電極用接続配線５２５を設けることにより、例え外的衝撃によってひびや割れが生じても、そのひびや割れは第１領域５５３ａと第２領域５５３ｂとの境界付近に発生しやすいため、セグメント電極用接続配線５２２及びコモン電極用接続配線５２５の断線の発生を極力抑制することができる。従って、セグメント電極用接続配線５２２及びコモン電極用接続配線５２５の断線による液晶装置５０１の表示不良発生を極力防止することができる。
【０１５３】
（電子機器）
【０１５４】
次に、上述した液晶装置１（１０１、２０１、３０１、４０１、５０１、１２０１、１３０１、２２０１、２３０１、３３０１）を備えた電子機器について説明する。
【０１５５】
図１６は本実施形態に係る電子機器の表示制御系の全体構成を示す概略構成図である。
【０１５６】
電子機器４００は、表示制御系として例えば図１６に示すように液晶パネル２（１０２、２０２、３０２、４０２、５０２、１２０２、１３０２、２２０２、２３０２、３３０２）及び表示制御回路４９０などを備え、その表示制御回路４９０は表示情報出力源４９１、表示情報処理回路４９２、電源回路４９３及びタイミングジェネレータ４９４などを有する。
【０１５７】
また、液晶パネル２（１０２、２０２、３０２、４０２、５０２、１２０２、１３０２、２２０２、２３０２、３３０２）上は、その表示領域Ｇを駆動する駆動回路４６１を有する。
【０１５８】
駆動回路４６１は上述した液晶装置１（１０１、２０１、３０１、４０１、５０１、１２０１、１３０１、２２０１、２３０１、３３０１）の駆動用ＩＣ３０（１３０、２３０、２３０´、３３０、４３０ａ、４３０ｂ、４３０ｃ、５３０、１２３０、１２３０´、２２３０、２２３０´）に相当する。
【０１５９】
表示情報出力源４９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源４９１は、タイミングジェネレータ４９４によって生成された各種のクロック信号に基づいて、所定フォーマットの画像信号などの形で表示情報を表示情報処理回路４９２に供給するように構成されている。
【０１６０】
また、表示情報処理回路４９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路４６１へ供給する。駆動回路４６１は、走査線駆動回路、データ線駆動回路及び検査回路を含む。また、電源回路４９３は、上述した各構成要素に夫々所定の電圧を供給する。
【０１６１】
このような電子機器４００は、落下などの外的衝撃による配線の断線のおそれが少なく、良好な表示画面を有する。
【０１６２】
具体的な電子機器としては、携帯電話機やパーソナルコンピュータなどの他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１（１０１、２０１、３０１、４０１、５０１、１２０１、１３０１、２２０１、２３０１、３３０１）が適用可能なのは言うまでもない。
【０１６３】
なお、本発明の電気光学装置は、上述した例に限定されるものではなく、本発明の要旨を逸脱しない範囲において種々変更を加え得ることは勿論である。
【０１６４】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ  Ｄｉｓｐｌａｙ等）などの各種電気光学装置であってもよい。また、上記各実施形態ではパッシブマトリクス型の液晶装置を例にあげて説明したが、薄膜トランジスタ素子や薄膜ダイオード素子をスイッチング素子として用いたアクティブマトリクス型液晶装置に適用しても良い。
【図面の簡単な説明】
【０１６５】
【図１】第１実施形態に係る液晶装置の概略斜視図。
【図２】図１の液晶装置の平面図。
【図３】第２実施形態に係る液晶装置の概略斜視図。
【図４】図３の液晶装置の平面図。
【図５】第３実施形態に係る液晶装置の平面図。
【図６】第３実施形態の変形例に係る液晶装置の平面図。
【図７】第３実施形態の他の変形例に係る液晶装置の平面図。
【図８】第４実施形態に係る液晶装置の平面図及び部分断面図。
【図９】第４実施形態の変形例に係る液晶装置の平面図。
【図１０】第４実施形態の他の変形例に係る液晶装置の平面図。
【図１１】第４実施形態の更に他の変形例に係る液晶装置の平面図。
【図１２】第４実施形態の更に他の変形例に係る液晶装置の部分断面図。
【図１３】第４実施形態の更に他の変形例に係る液晶装置の部分断面図。
【図１４】他の変形例に係る液晶装置の平面図。
【図１５】更に他の変形例に係る液晶装置の平面図。
【図１６】実施形態に係る電子機器の表示制御系の全体構成を示す概略構成図。
【符号の説明】
【０１６６】
１、１０１、２０１、３０１、４０１、１２０１、１３０１、２２０１、２３０１、３３０１  液晶装置、  １０、１１０、２１０、３１０、４１０、１２１０、１３１０、２２１０、２３１０、３３１０  第１基板、  １０ａ、１１０ａ、２１０ａ、２１０ａ´、３１０ａ、４１０ａ、１２１０ａ、２２１０ｂ  第１基板の第１の縁、  ２０、１２０、２２０、３２０、３２０、４２０、１２２０、１３２０、２２２０、２３１０、３３１０  第２基板、  ２０ａ、１２０ａ、２２０ａ、２２０ａ´、３２０ａ、４２０ａ、１２２０ａ、１３２０ａ、２２１０ａ、２２２０ａ、２３２０ａ、３３２０ａ  張り出し部、  ２０ｂ、１２０ｂ、２２０ｂ、２２０ｂ´、３２０ｂ、４２０ｂ、２２０ｃ、１３２０ｂ、１２２０ｂ、２２２０ｂ、２３２０ｂ、３３２０ｂ  第２基板の第１の縁、  ２０ｃ、２０ｄ、１２０ｃ、１２０ｄ、２２０ｃ、２２０ｄ、３２０ｃ、３２０ｄ、４２０ｃ、４２０ｄ、１２２０ｃ、１３２０ｃ、１３２０ｄ、２２２０ｃ、２３２０ｃ、２３２０ｄ、３３２０ｃ、３３２０ｄ  第２基板の第２の縁、  ３０、１３０、２３０、２３０´、３３０、４３０ａ、４３０ｂ、４３０ｃ、１２３０、１２３０´、２２３０、２２３０´  駆動用ＩＣ、  ４０、２４０、２４０´、３４０、４４０、１２４０、１２４０´、２２４０、２２４０´  フレキシブル配線基板、  ４０ａ、２４０ａ、２４０ａ´、３４０ａ、４４０ａ、１２４０ａ、１２４０ａ´、２２４０ａ、２２４０ａ´  フレキシブル配線基板の縁、  ５０、１５０、２５０、３５０、４５０、１２５０、１２５０´、２２５０、２２５０´  第２点、  ５１、１５１、２５１、３５１、４５１、１２５１、２２５１  第１点、  ５２、１５２、２５２、３５２、４５２、１２５２、１２５２´、２２５２、２２５２´  直線、  ５３ａ、１５３ａ、２５３ａ、３５３ａ、４５３ａ、１２５３ａ、２２５３ａ  第１領域、  ５３ｂ、１５３ｂ、２５３ｂ、３５３ｂ、４５３ｂ、１２５３ｂ、２２５３ｂ  第２領域、  １４０  ＴＡＢ−ＩＣ、  １４０ａ  ＴＡＢ−ＩＣの縁、  ３２１、１３２１、２３２１、３３２１、４３２１、５３２１  溝、  ３６０  配線が設けられている面、  ３６１  配線が設けられている面と反対の面、  ４００  電子機器、１２１０ｂ、２２１０ｃ  第１基板の第２の縁、  １２２０ｄ、２２２０ｄ  第２基板の第３の縁、  １２２０ｅ  第２基板の第４の縁、  ２２１０ｄ  第１基板の第３の縁、  ２２２０ｄ  第２基板の第３の縁
【図１】
2006039081.tif 000003
【図２】
2006039081.tif 000004
【図３】
2006039081.tif 000005
【図４】
2006039081.tif 000006
【図５】
2006039081.tif 000007
【図６】
2006039081.tif 000008
【図７】
2006039081.tif 000009
【図８】
2006039081.tif 000010
【図９】
2006039081.tif 000011
【図１０】
2006039081.tif 000012
【図１１】
2006039081.tif 000013
【図１２】
2006039081.tif 000014
【図１３】
2006039081.tif 000015
【図１４】
2006039081.tif 000016
【図１５】
2006039081.tif 000017
【図１６】
2006039081.tif 000018